(57)【要約】      （修正有）【課題】誰にでも操作が行える簡易な構造でありながら、チューブ状容器の内容物を無駄なく確実に絞り出すことが可能な内容物絞り出し器具を提供する。【解決手段】ばね（１６）の弾性力に抗して、把手部（４ａ）（４ｂ）を内方に押圧する外力を加えると、挟持部（２ａ）（２ｂ）の先端（１０ａ）（１０ｂ）が開き、前記外力を除去すると、ばね（１６）の付勢力に従って、挟持部の先端が閉じるようになされた構成を有し、チューブ状容器（２０）の胴部（２１）を、挿通部（５）に挿通して、挟持部の先端で上下から挟み込んだ状態とし、この状態を保持しながら、挟持部を摺動させて、チューブ状容器の胴部に収容される内容物を絞り出すようにして内容物絞り出し器具（１）を構成した。【選択図】図５
0003125443.tif 000002
【実用新案登録請求の範囲】
【請求項１】
チューブ状容器の内容物を絞り出すための器具であって、
チューブ状容器の胴部を挿通可能な挿通部が形成され、ばねを介して先端が弾性的に当接される、上下一対の挟持部と、
該挟持部に連成される上下一対の把手部と、を備え、
該ばねの弾性力に抗して、該把手部を内方に押圧する外力を加えると、該挟持部の先端が開き、前記外力を除去すると、該ばねの付勢力に従って、該挟持部の先端が閉じるようになされた構成を有し、
チューブ状容器の胴部を、該挿通部に挿通して、該挟持部の先端で上下から挟み込んだ状態とし、この状態を保持しながら、該挟持部を摺動させて、チューブ状容器の胴部に収容される内容物を絞り出すようにした内容物絞り出し器具。
【請求項２】
該挟持部には、異なる大きさの挿通部が、上下それぞれに形成されてなる請求項１に記載の内容物絞り出し器具。
【考案の詳細な説明】
【技術分野】
【０００１】
本考案は、チューブ状容器の内容物を無駄なく絞り出すための器具に関する。
【背景技術】
【０００２】
従来より、例えば練り歯磨き粉や化粧クリーム等を収容するために、チューブ状容器が用いられることがある。かかる容器では、内容物を最後まで使い切れるようにすることが望まれるが、復元性を有する素材が用いられることが多いため、内容物がどれくらい入っているのかわかり難く、残量が少なくなった場合に内容物を絞り出すことが容易に行えなかった。
【０００３】
これに対して、本考案者は、樹脂や金属製の丸パイプ形状からなり、所定の切り込みが設けられた内容物押し出し器を提案している（特許文献１）。
【０００４】
【特許文献１】実用新案登録第３１０６３３４号
【考案の開示】
【考案が解決しようとする課題】
【０００５】
上記特許文献１に記載される器具は、子どもから老人まで簡単に操作を行えるようにしたものであるが、本考案は、さらに改良を加え、より利便性を向上させたものであり、誰にでも操作が行える簡易な構造でありながら、チューブ状容器を引っ張り易くし、チューブ状容器の内容物を無駄なく確実に絞り出すことが可能な内容物絞り出し器具を提供することを目的としている。
【課題を解決するための手段】
【０００６】
上記の課題を解決するために、請求項１に記載の内容物絞り出し器具は、チューブ状容器の内容物を絞り出すための器具であって、
チューブ状容器の胴部を挿通可能な挿通部が形成され、ばねを介して先端が弾性的に当接される、上下一対の挟持部と、
該挟持部に連成される上下一対の把手部と、を備え、
該ばねの弾性力に抗して、該把手部を内方に押圧する外力を加えると、該挟持部の先端が開き、前記外力を除去すると、該ばねの付勢力に従って、該挟持部の先端が閉じるようになされた構成を有し、
チューブ状容器の胴部を、該挿通部に挿通して、該挟持部の先端で上下から挟み込んだ状態とし、この状態を保持しながら、該挟持部を摺動させて、チューブ状容器の胴部に収容される内容物を絞り出すようにしたことを要旨とする。
【０００７】
また、請求項２に記載の内容物絞り出し器具は、請求項１に記載の構成において、該挟持部には、異なる大きさの挿通部が、上下それぞれに形成されてなることを要旨とする。
【考案の効果】
【０００８】
本考案によれば、チューブ状容器の内容物を絞り出すための器具であって、チューブ状容器の胴部を挿通可能な挿通部が形成され、ばねを介して先端が弾性的に当接される、上下一対の挟持部と、該挟持部に連成される上下一対の把手部と、を備え、該ばねの弾性力に抗して、該把手部を内方に押圧する外力を加えると、該挟持部の先端が開き、前記外力を除去すると、該ばねの付勢力に従って、該挟持部の先端が閉じるようになされた構成を有し、チューブ状容器の胴部を該挿通部に挿通して、該挟持部の先端で上下から挟み込んだ状態とし、この状態を保持しながら、該挟持部を摺動させて、チューブ状容器の胴部に収容される内容物を絞り出すように構成したため、誰にでも操作が行える簡易な構造でありながら、チューブ状容器の内容物を無駄なく確実に絞り出すことが可能な内容物絞り出し器具を提供することができる。
【考案を実施するための最良の形態】
【０００９】
本考案に係る内容物絞り出し器具は、チューブ状容器の内容物を絞り出すための器具である。対象となるチューブ状容器は、一般的には、例えば図４〜図５のように、長細のチューブ状胴部（２１）にキャップ部（２２）を取着したものであるが、チューブ状胴部を備えるものであれば、その大きさや形状・材質、キャップ部の取着態様等に制限は無い。
チューブ状容器は、手・指のみでは無駄なく絞り出すことが困難な内容物、例えば粘土状や半固形状、半流動状等の内容物を収容したものが適している。
【００１０】
本考案に係る内容物絞り出し器具は、上下一対の挟持部と、それに連成される把手部とを備えて構成される。挟持部には、上下少なくとも一方の側に、チューブ状容器の胴部を挿通可能な挿通部を形成する。挿通部は、内容物が絞り出された後の胴部部分（被絞り出し部）を挿通可能な大きさ・形状を備えていればよい。
【００１１】
また、ばね機構を用いて、挟持部の先端が弾性的に当接するように構成する。挟持部の先端の当接の態様は、線、点、面の何れでもよいが、無駄の無い絞り出しのためには、線又は面が適している。特に、線による当接は、挟持力が集中し易く好ましい。
ばね機構は、ばねの弾性力に抗して、把手部を内方に押圧する外力を加えると、挟持部の先端が開き、外力を除去すると、ばねの付勢力に従って、挟持部の先端が閉じるように構成されるものとする。このようなばね機構に用いるばねとしては、代表的にはコイルばねを挙げることができる。その他、把手部内面に沿って側面視略Ｖ字状に嵌着される板ばね等を用いることもできる。
【００１２】
本考案に係る内容物絞り出し器具は、上記の構成において、チューブ状容器の胴部を、挿通部に挿通して、挟持部の先端で上下から挟み込んだ状態とし、この状態を保持しながら、挟持部を摺動させて、チューブ状容器の胴部に収容される内容物を絞り出すようにしたものである。
本考案の目的を達成可能な範囲において、挟持部や把手部の大きさ、形状、材質等については種々の設計変形が可能である。また、挟持部と把手部とは、他の部材（腕部等）を介して連成してもよい。
【実施例１】
【００１３】
本考案の実施形態を、図１〜図５を参照しながら説明する。図１は本実施例に係る内容物絞り出し器具の平面図、図２は本実施例に係る内容物絞り出し器具の側面図、図３は本実施例に係る内容物絞り出し器具の背面図、図４は本実施例に係る内容物絞り出し器具の使用状態を示す平面図、図５は本実施例に係る内容物絞り出し器具の使用状態を示す側面図である。
【００１４】
図１〜図３に示すように、本実施例に係る内容物絞り出し器具（１）は、それぞれ上下一対の挟持部（２ａ）（２ｂ）、腕部（３ａ）（３ｂ）、把手部（４ａ）（４ｂ）によって、平面視略Ｔ字型をなして構成されるものである。
【００１５】
挟持部（２ａ）（２ｂ）は、図１〜図２に示すように、幅広に形成され、側面視において、中央が外方になだらかに膨らんだ形状をなすように構成されている。また、一方（上側）の挟持部（２ａ）には、その頂部近傍において、横長で所定の大きさの挿通部（５）が上下貫通して設けられている。
【００１６】
図２に示すように、挟持部（２ａ）（２ｂ）の先端（１０ａ）（１０ｂ）は直線的に当接し、かつ後方は互いに所定の間隔を隔てて配設される。挟持部（２ａ）（２ｂ）の後方には、さらに腕部（３ａ）（３ｂ）、把手部（４ａ）（４ｂ）がそれぞれ連成されるが、図２に示すように、腕部（３ａ）（３ｂ）から把手部（４ａ）（４ｂ）にかけて、外方に向かって傾斜して構成されている。
把手部（４ａ）（４ｂ）は、図１に示すように、手に馴染み易いように平面視略円形をなして形成されるとともに、真ん中には引掛部（１２ａ）（１２ｂ）が穿孔形成され、壁面のフック等に容易に引掛けることができるようになされている。
【００１７】
図２〜図３に示すように、腕部（３ａ）、（３ｂ）には、それぞれ連結部（１４ａ）（１４ａ’）、（１４ｂ）（１４ｂ’）が左右垂設され、連結部（１４ａ）と（１４ｂ）、（１４ａ’）と（１４ｂ’）を重合して左右に貫通して設けられる軸部（１５）を介して、上下の腕部（３ａ）（３ｂ）が互いに回動自在に連結されている。また、図３に示すように、軸部（１５）の周囲には、コイル状のばね（１６）が巻装され、その両端が延設されて接続部（１７ａ）（１７ｂ）が形成されるとともに、接続部（１７ａ）（１７ｂ）がそれぞれ、上下の把手部（４ａ）（４ｂ）内側において溶着されて、挟持部（２ａ）（２ｂ）の先端（１０ａ）（１０ｂ）を弾性的に当接している。つまり、ばね（１６）の弾性力に抗して、上下の把手部（４ａ）（４ｂ）を同時に内方に押圧する外力を加えると、軸部（１５）を支点として腕部（３ａ）（３ｂ）が回動することにより、挟持部（２ａ）（２ｂ）の先端（１０ａ）（１０ｂ）が開き、外力を除去すると、ばね（１６）の付勢力に従って、腕部（３ａ）（３ｂ）が逆方向に回動することにより、挟持部（２ａ）（２ｂ）の先端（１０ａ）（１０ｂ）が再び閉じるようになされている。
【００１８】
次に、本実施例に係る内容物絞り出し器具（１）の使用方法の一例について説明する。
まず、上記の如く把手部（４ａ）（４ｂ）を操作して挟持部（２ａ）（２ｂ）の先端（１０ａ）（１０ｂ）を開き、チューブ状容器（２０）の末端に形成される尾部（２３）を、挿通部（５）に内方から外方に向けて挿通し、尾部（２３）が挿通部（５）から顔を出したところで、挟持部（２ａ）（２ｂ）の先端（１０ａ）（１０ｂ）を閉じる。すると、チューブ状容器（２０）の胴部（２１）が、ばね（１６）の圧力によって、挟持部（２ａ）（２ｂ）の先端（１０ａ）（１０ｂ）に強く挟まれた状態となる。この状態を保持しながら、挟持部（２ａ）（２ｂ）をチューブ状容器（２０）の胴部（２１）に沿ってキャップ部（２２）方向に摺動させると、胴部（２１）内の内容物もキャップ部（２２）の方向に押進され、図４〜図５に示すように、胴部（２１）には、挟持部（２ａ）（２ｂ）の先端（１０ａ）（１０ｂ）と当接する部分を分岐線として、被絞り出し部（２４）と充填部（２５）とが形成されることとなる。
そして、充填部（２５）の内容量が減少してきたら、適宜、器具（１）をキャップ部（２２）方向に摺動させる、ということを繰り返すことにより、チューブ状容器（２０）に収容される内容物を、最後まで無駄なく絞り出して使い切ることができる。器具（１）の摺動は、一方の手で把手部（４ａ）又は（４ｂ）を把持しておき、他方の手でチューブ状容器（２０）の尾部（２３）近傍を把持しつつ引っ張ることで、容易に行うことができる。
【００１９】
本実施例に係る内容物絞り出し器具（１）は、把手部（４ａ）（４ｂ）の簡単な操作によって、挟持部（２ａ）（２ｂ）の先端（１０ａ）（１０ｂ）を開閉させることができるため、チューブ状容器（２０）への着脱が容易に行える。
また、挟持部（２ａ）（２ｂ）の先端（１０ａ）（１０ｂ）を介して、チューブ状容器（２０）の胴部（２１）に、ばね（１６）の弾性力に応じた強固な挟持力を作用させることができるため、チューブ状容器（２０）の内容物を確実に絞り出すことができ、無駄が無い。
さらに、把手部（４ａ）（４ｂ）には引掛部（１２ａ）（１２ｂ）が設けられているため、壁面のフック等に引掛けておくことができ、便利である。
【実施例２】
【００２０】
本考案の他の実施形態を、図６（ａ）（ｂ）を参照しながら説明する。図６（ａ）は本実施例に係る内容物絞り出し器具の平面図、図６（ｂ）は本実施例に係る内容物絞り出し器具の底面図である。
【００２１】
本実施例に係る内容物絞り出し器具（３０）は、前実施例を変形したものであり、図６（ａ）（ｂ）に示すように、上下の挟持部（２ａ）（２ｂ）に、それぞれ異なる大きさの挿通部（３１）（３２）が形成されたものである。
【００２２】
本実施例に係る内容物絞り出し器具（３０）であれば、チューブ状容器の胴部の幅が大きいときには、上側の挟持部（２ａ）の挿通部（３１）を使用し、チューブ状容器の胴部の幅が小さいときには、下側の挟持部（２ｂ）の挿通部（３２）を使用する、というように、一つの器具で、異なるサイズのチューブ状容器に容易に対応することができる。
【産業上の利用可能性】
【００２３】
本考案は、誰にでも操作が行える簡易な構造でありながら、チューブ状容器の内容物を無駄なく確実に絞り出すことが可能な内容物絞り出し器具を提供するものであり、産業上の利用可能性を有する。
【図面の簡単な説明】
【００２４】
【図１】内容物絞り出し器具の平面図である。
【図２】内容物絞り出し器具の側面図である。
【図３】内容物絞り出し器具の背面図である。
【図４】内容物絞り出し器具の使用状態を示す平面図である。
【図５】内容物絞り出し器具の使用状態を示す側面図である。
【図６】（ａ）内容物絞り出し器具の他の実施形態を示す平面図である。（ｂ）内容物絞り出し器具の他の実施形態を示す底面図である。
【符合の説明】
【００２５】
１  内容物絞り出し器具
２ａ、２ｂ  挟持部
３ａ、３ｂ  腕部
４ａ、４ｂ  把手部
５  挿通部
１０ａ、１０ｂ  先端  
１６  ばね
２０  チューブ状容器
２１  胴部
【図１】
0003125443.tif 000003
【図２】
0003125443.tif 000004
【図３】
0003125443.tif 000005
【図４】
0003125443.tif 000006
【図５】
0003125443.tif 000007
【図６】
0003125443.tif 000008